(57)【要約】【課題】  スリッパを履いて歩く時に、足の踵とスリッパが離れて、歩きにくいし、素早い動作が行えない。特に階段を昇り降りする時、躓いたり、転倒したりすることもありうる。スリッパを足に、ぴったりとくっ付けることにより、自然な歩行が出来、体を自在に動かせることが出来る。そして、履いたり、脱いだりが簡単に出来る、伸縮性のベルト付スリッパを提供する。【解決手段】  踵部分より立ち上がり上端に通し輪を有する踵ベルト６，７と、甲被２に各々の一端を固着して他端に通し輪を有する２本の甲被ベルト１０，１１と、上記３つの通し輪をくぐり足首に巻きつける足首ベルト１２とを備える。【選択図】図２
0003123955.tif 000002
【実用新案登録請求の範囲】
【請求項１】
踵部分より立ち上り上端に通し輪を有する踵ベルトと、甲被に各々の一端を固着して他端に通し輪を有する２本の甲被ベルトと、上記３つの通し輪をくぐり足首に巻きつける足首ベルトとを備えたことを特徴とするベルト付スリッパ。
【請求項２】
足首ベルトの両端に面ファスナを設けて、開閉が出来て長さ調節可能としたことを特徴とする請求項１記載のベルト付スリッパ。
【請求項３】
踵ベルト下端とスリッパ後端、および甲被ベルトの前端と甲被を係脱自在としたことを特徴とする請求項１または２記載のベルト付スリッパ。
【請求項４】
踵の側面部に固着された踵側面接続具と、この踵側面接続具に接続された第２踵ベルトと、この第２踵ベルトの一端に接続され両端に把持具を有する第２足首ベルトとを備え、上記第２足首ベルトを上記第２踵ベルトと甲被との間で交差させて上記甲被に係脱自在に接続したことを特徴とするベルト付スリッパ。
【考案の詳細な説明】
【技術分野】
【０００１】  この考案は、スリッパを履いた時、無理のない自然な歩行が出来るように足とスリッパの形態上の一体化に近づけることを目的としたものである。
【背景技術】
【０００２】  履物の底、土ふまず部分に垂下ベルトを通し、それを足首に巻いたベルトで支えたものがある。（例えば、特許文献１参照）
【特許文献１】  実開昭５２−３８６３公報（第１図および第２図）
【考案の開示】
【考案が解決しようとする課題】
【０００３】  スリッパを履くと自然な歩行が妨げられる。特に高齢者、障害者、病人等、脚力の弱い人達にとって負担となり、また、機敏な動作が行えない。そして、歩くと音や埃をたてたりする。上記のような問題点をなくす為に、スリッパが足にぴったりとくっつくようにする事を目的としたものである。【０００４】  本考案は土ふまずのないスリッパに適用でき、そして、履いたり脱いだりが、すばやく簡単に行えるように考えたものである。
【問題を解決する為の手段】
【０００５】  上記課題を解決するためにスリッパを足首に保持させるベルトを設けた。ベルトはスリッパの踵部分より立ち上り上端に通し輪を有する踵ベルトと、甲被に各々の一端を固着して他端に通し輪を有する２本の甲被ベルトと、上記３つの通し輪をくぐり足首に巻きつける足首ベルトから構成される。
【０００６】  足首ベルトは両端に面ファスナを付けて、開閉が出来て長さ調節可能とし、足首の大きさに合わせられるようにした。
【０００７】  また、踵ベルト下端とスリッパ後端、および甲被ベルトの前端と甲被を係脱自在として、ベルトをスリッパにつけはずしできるようにした。
【考案の効果】
【０００８】  この考案のスリッパは歩行の時、足の踵とスリッパが離れて歩きにくく、不自然な歩行となるのを防止することが出来る。そして、機敏に体を動かすことができる。そのことは足や腰に負担をかけないし、つまづきや転倒を防ぐ事にもつながる。特に階段の上り下りが楽に出来る。自然な身のこなしが行えて、身体的にも精神的にもストレスの軽減になり、リラックスした気分で歩くことが出来る。
【考案を実施する為の最良の形態】
【実施例１】
【０００９】  図１はこの考案の第１実施例を示すベルト付スリッパの平面図である。図２は図１に示すベルト付スリッパの斜視図である。図において、１はスリッパ本体、２は甲被、３はスリッパ底、４は中敷、５はスリッパ本体の側面である。６，７は伸縮性のある踵ベルトである。この踵ベルト６，７は一端が踵の後部に固着され、他端は踵の後部側面２箇所より立ち上げて踵ベルト合体部８で一つにし、この踵ベルト合体部８の外面と内面に合成皮革か、ビニールを縫い合わせる。そして、上記踵ベルト６又は踵ベルト７のいずれか一方を上にのばして輪にし踵ベルト通し輪９としている。【００１０】  足の甲被２の足首寄りの二箇所１０ａと１１ｂの内側に、伸縮性のある甲被ベルト１０と甲被ベルト１１を固着し、それぞれの他端を通し輪にする。踵ベルト通し輪９と甲被ベルト１０と甲被ベルト１１の各々の通し輪に伸縮性のある足首ベルト１２を通す。図３に示すように足首ベルト１２の一端１２ａの内側と他端１２ｂに雌雄の面ファスナを縫い付ける。
この考案のベルト付スリッパは足首ベルトの両端に雌雄の面ファスナを設けたので足首ベルト１２を足首に巻きつけた時、開閉が簡単に出来て足首にぴったりの長さに調節できる。すなわち、足とスリッパの一体化に近づけることが出来る。
【実施例２】
【００１１】  図４、図５、図６はベルト付スリッパのベルト部分を係脱自在とした第２実施例である。図４に示す留め金具１５と留め金具１６は、従来からあるズボンつりのズボンを吊るところの留め金具を使用し、甲被ベルト１０と甲被ベルト１１に接続したものである。この留め金具１５と留め金具１６でベルト付スリッパの甲被２を挟む。（図示せず）そして、図５に示すように、踵部分の側面に取り付けた踵側面通し輪１３（布か、ビニールの紐状のものの両端を踵部分の側面に縫い付けたもの）に踵ベルト６の端を、また、踵ベルト７の端を踵側面通し輪１４に通す。図４に示すように、踵ベルト７の折り返し部７ａと、折り返し部７ａに相対する折り返し部７ｂ、踵ベルト６の折り返し部６ａと、折り返し部６ａに相対する折り返し部６ｂには、それぞれ、雌雄の面ファスナを縫い付ける。そして、折り返し部６ａを踵側面通し輪１３に通し、折り返し部７ａを踵側面通し輪１４に通した後、面ファスナでとめる。【００１２】  図６は踵側面通し輪の取り付け部を示す平面図である。
【実施例３】
【００１３】  図７、図８はベルト付スリッパのベルト部分を係脱自在とした第３実施例である。実施例２のベルトを第１の係脱自在用ベルトとすると第３実施例のベルト、すなわち、スリッパを履いて足首の前面で交差して把持具（留め金具あるいはボタン又はホック等）１７と把持具１８で甲被２に留めるベルトを第２の係脱自在用ベルトとする。踵側面５の２箇所に踵側面接続具（面ファスナあるいはボタン又はホック等）１９と踵側面接続具２０を固着する。２２は第２踵ベルトであり、その中央部２２ａを２つ折りにして輪づくりし第２足首ベルト２１を通せる巾の所で縫い合わせる。そして、その両端を左右に広げて、左に広げた下端を踵側面接続具１９と接続し、右に広げた下端を踵側面接続具２０と接続する。左右の第２踵ベルト２２の下端には踵側面接続具１９と踵側面接続具２０に相対する位置にそれぞれの第２踵ベルト接続具（面ファスナあるいはボタン又はホック等）２３と第２踵ベルト接続具２４を固着する。【００１４】  または、実施例２に示すように踵側面通し輪１３と踵側面通し輪１４を使用する場合は第２踵ベルト２２を通し輪１３と通し輪１４に通した後、それぞれの接続具でとめる。（図示せず）つづいて両端に把持具１７と把持具１８を固着した第２足首ベルト２１を第２踵ベルト２２の上部の輪に通す。【００１５】  先ず、上述のように構成されたベルト付スリッパの履き方を説明する。スリッパを履いて第２足首ベルト２１を足首の前面で交差させて甲被２に把持具１７と把持具１８でとめる。交差させることにより実施例２に示す第１の係脱自在用ベルト同様に足首に巻きつく効果は変わらず、機能的で、すっきりしたデザインのベルトを提供できる。ちなみに、第２実施例は履いたり脱いだりがたやすく出来て高齢者向きであり、第３実施例の第２係脱自在用ベルトは若い世代向きのものとして考案したものである。
【図面の簡単な説明】
【００１６】
【図１】  この考案の第１実施例を示すベルト付スリッパの平面図である。
【図２】  この考案の第１実施例を示すベルト付スリッパの斜視図である。
【図３】  この考案の第１実施例のベルト付スリッパの足首のベルト部分の斜視図である。
【図４】  この考案の第２実施例のベルトを係脱自在としたベルト部分の斜視図である。
【図５】  この考案の第２実施例のベルトを係脱自在としたスリッパの踵部分の斜視図である。
【図６】  この考案の第２実施例のベルトを係脱自在としたスリッパの踵部分の平面図である。
【図７】  この考案の第３実施例を示すベルトを係脱自在としたスリッパの平面図である。
【図８】  この考案の第３実施例を示すベルトを係脱自在としたスリッパの側面図である。
【符号の説明】
【００１７】１  スリッパ本体
２  甲被
３  スリッパ底
４  中敷
５  スリッパ本体の側面
６，７  踵ベルト（第１踵ベルト）
８  踵ベルト合体部
９  踵ベルト通し輪
１０，１１  甲被ベルト
１２  足首ベルト（第１足首ベルト）
１３，１４  踵側面通し輪
１５，１６  留め金具
１７，１８  把持具
１９，２０  踵側面接続具
２１  第２足首ベルト
２２  第２踵ベルト
２３，２４  第２踵ベルト接続具
【図１】
0003123955.tif 000003
【図２】
0003123955.tif 000004
【図３】
0003123955.tif 000005
【図４】
0003123955.tif 000006
【図５】
0003123955.tif 000007
【図６】
0003123955.tif 000008
【図７】
0003123955.tif 000009
【図８】
0003123955.tif 000010